(57)【要約】【課題】ブリスターパッケージが、収容する２つの対象物の組み合わせに制約のないものとする。【解決手段】ブリスターパッケージ１は、折り曲げ用の５本の折り線２〜５により区画された６つの区画部１１〜１６を有し、区画部１１〜１６のうち２つの区画部１２，１５は、折り線２〜５により折り曲げられた状態で互いに反対方向に突出し、その突出した突出部１２ａ，１５ａの一部に収容部１２ｂ，１５ｂが形成され、区画部１１〜１６のうち他の２つの区画部１１，１６は、突出部１２ａ，１５ａよりも大きく突出し、折り線２〜５により折り曲げられた状態で、区画部１２，１５の突出した面の側から、区画部１１，１６をそれぞれ覆うカバー部１１ａ，１６ａが形成されている。【選択図】図１
2016150767.tif 000002
【特許請求の範囲】
【請求項１】
折り曲げ用の少なくとも３本の折り線により区画された少なくとも４つの区画部を有し、
前記区画部のうち２つの区画部は、前記折り線により折り曲げられた状態で互いに反対方向に突出し、その突出した部分の一部に収容部が形成され、
前記区画部のうち他の２つの区画部は、前記突出した部分よりも大きく突出し、前記折り線により折り曲げられた状態で、前記収容部が形成された区画部の突出した面の側から、前記収容部が形成された区画部をそれぞれ覆うカバー部が形成されているブリスターパッケージ。
【請求項２】
前記カバー部が形成された区画部は、略全体が突出している請求項１に記載のブリスターパッケージ。
【請求項３】
前記区画部は矩形の輪郭を有し、前記折り線は、前記矩形の輪郭となる４辺のうち相対的に長い辺に形成されている請求項１又は２に記載のブリスターパッケージ。
【請求項４】
前記折り線により折り曲げられた状態で、前記収容部が形成された２つの区画部の間に挟まれる平坦な区画部を備えた請求項１から３のうちいずれか１項に記載のブリスターパッケージ。
【請求項５】
前記収容部が形成された２つの区画部の間に挟まれる平坦な区画部が、前記折り線により折り曲げられた状態で互いに重なり合う２つの平坦な区画部である請求項４に記載のブリスターパッケージ。
【発明の詳細な説明】
【技術分野】
【０００１】
本発明は、ブリスターパッケージに関する。
【背景技術】
【０００２】
商品等の対象物を簡易に包装するブリスターパッケージが知られている。ブリスターパッケージは、透明な薄い平板状の樹脂を、収容する対象物の形状に合わせて立体的に真空成形したものである。ブリスターパッケージは、透明であるため、紙箱の包装体と異なり、収容されている商品そのものを外部から見ることができる。
ブリスターパッケージとしては、対象物を収容する部分が多段に形成されたものもある（例えば、特許文献１参照）。
【先行技術文献】
【特許文献】
【０００３】
【特許文献１】特開２００３−１２０３０号公報
【発明の概要】
【発明が解決しようとする課題】
【０００４】
特許文献１に記載されたブリスターパッケージは、第１の収容部に第２の収容部が積み重ねて形成され、しかも、第２の収容部が第１の収容部の開口を塞ぐ蓋を兼ねた構成となっている。つまり、第２の収容部は、第１の収容部の開口を塞ぐ部分を有する必要がある。
【０００５】
ブリスターパッケージは、上述したように、平板状の樹脂を立体的に形成しているため、表面側で凸の部分は裏面側で凹となり、表面側で凹の部分は裏面側で凸となる。つまり、第２の収容部は、裏面側に蓋となる形状が形成されると、対象物を収容する表面側の形状に影響が及ぶことになる。
このため、第２の収容部は形状等の制約がある。したがって、１つのブリスターパッケージに収容することができる２つの対象物の組み合わせにも制約が生じる。
【０００６】
本発明は上記事情に鑑みなされたものであって、収容する２つの対象物の組み合わせに制約のないブリスターパッケージを提供することを目的とする。
【課題を解決するための手段】
【０００７】
本発明は、折り曲げ用の少なくとも３本の折り線により区画された少なくとも４つの区画部を有し、前記区画部のうち２つの区画部は、前記折り線により折り曲げられた状態で互いに反対方向に突出し、その突出した部分の一部に収容部が形成され、前記区画部のうち他の２つの区画部は、前記突出した部分よりも大きく突出し、前記折り線により折り曲げられた状態で、前記収容部が形成された区画部の突出した面の側から、前記収容部が形成された区画部をそれぞれ覆うカバー部が形成されているブリスターパッケージである。
【発明の効果】
【０００８】
本発明に係るブリスターパッケージによれば、収容する２つの対象物の組み合わせに制約がない。
【図面の簡単な説明】
【０００９】
【図１】本発明の一実施形態であるブリスターパッケージの使用前の展開状態を示す斜視図である。
【図２】図１に示したブリスターパッケージの使用状態を示す斜視図である。
【図３】図１におけるＡ−Ａ線に沿った断面を示す断面図である。
【図４】図２におけるＢ−Ｂ線に沿った断面を示す断面図である。
【図５】（Ａ）は、４本の折り線によって５つの区画部を形成した他の実施形態のブリスターパッケージを示す図２相当の断面図、（Ｂ）は、３本の折り線によって４つの区画部を形成した他の実施形態のブリスターパッケージを示す図２相当の断面図である。
【図６】（Ａ）は、５本の折り線によって５つの区画部を形成した他の実施形態のブリスターパッケージを示す図２相当の断面図、（Ｂ）は、４本の折り線によって５つの区画部を形成した他の実施形態のブリスターパッケージを示す図５（Ａ）相当の断面図、（Ｃ）は、３本の折り線によって４つの区画部を形成した他の実施形態のブリスターパッケージを示す図５（Ｂ）相当の断面図である。
【図７】（Ａ）は、５本の折り線によって５つの区画部を形成した他の実施形態のブリスターパッケージを示す図２相当の断面図、（Ｂ）は、４本の折り線によって５つの区画部を形成した他の実施形態のブリスターパッケージを示す図５（Ａ）相当の断面図、（Ｃ）は、３本の折り線によって４つの区画部を形成した他の実施形態のブリスターパッケージを示す図５（Ｂ）相当の断面図である。
【図８】（Ａ）は、５本の折り線によって５つの区画部を形成した他の実施形態のブリスターパッケージを示す図２相当の断面図、（Ｂ）は、４本の折り線によって５つの区画部を形成した他の実施形態のブリスターパッケージを示す図５（Ａ）相当の断面図である。
【図９】５本の折り線によって５つの区画部を形成した他の実施形態のブリスターパッケージを示す図２相当の断面図である。
【図１０】６つの区画部が一直線上に並ばずに、一部の区画部（本図の例では、区画部）が、他の区画部の並んだ方向とは異なる方向に並んだ他の実施形態のブリスターパッケージを示す図１相当の斜視図である。
【図１１】平面視の輪郭形状が三角形の区画部を有する他の実施形態のプリスターパッケージの展開状態を示す平面図である。
【発明を実施するための形態】
【００１０】
以下、本発明に係るブリスターパッケージの実施形態について、図面を用いて説明する。
【００１１】
＜ブリスターパッケージの構成＞
図１は、本発明の一実施形態であるブリスターパッケージ１の使用前の展開状態を示す斜視図である。図２は、図１に示したブリスターパッケージ１の使用状態を示す斜視図である。図３は、図１におけるＡ−Ａ線に沿った断面を示す断面図である。図４は、図２におけるＢ−Ｂ線に沿った断面を示す断面図である。
【００１２】
図示のブリスターパッケージ１は、矩形でシート状の樹脂を真空成形により形成したものである。樹脂としては、例えばＰＥＴ（ポリエチレンテレフタレート）やＰＶＣ（ポリ塩化ビニル）やＰＳ（ポリスチレン）などが適用される。なお、環境への負荷を低減した生分解性プラスチックなどを適用することもできる。
【００１３】
ブリスターパッケージ１は、図１に示すように、折り曲げ用の５本の折り線２，３，４，５，６により区画される６つの区画部１１，１２，１３，１４，１５，１６を有している。
折り線２〜６は、他の平坦な部分と形態的に区別される筋であってもよいし、後に折り曲げられる仮想線であって、折り曲げられる前は他の平坦な部分と形態的に区別されないものであってもよい。
【００１４】
折り線２〜６はそれぞれ、矩形の短辺１ａ，１ｂに平行である。互いに隣り合う折り線２〜６同士の間隔は一定である。また、矩形の短辺１ａと折り線２との間隔及び短辺１ｂと折り線６との間隔も、折り線２〜６同士の間隔と同じである。
したがって、各区画部１１〜１６は、いずれも矩形の輪郭形状を有していて、輪郭形状の矩形は互いに略同じ大きさとなっている。
折り線２〜６は、いずれかの区画部１１〜１６の矩形の輪郭の長辺として形成されている。
【００１５】
上述した６つの区画部１１〜１６のうち両端からそれぞれ２番目の区画部１２，１５は、折り線２〜６により折り曲げられた図２，４に示す使用状態で、互いに反対向きに突出した突出部１２ａ，１５ａが形成されている。また、これらの区画部１２，１５は、その突出部１２ａ，１５ａの一部に、凹んだ収容部１２ｂ，１５ｂが形成されている。
【００１６】
これらの収容部１２ｂ，１５ｂは、このブリスターパッケージ１に収容される２つの対象物２１０，２２０（図４参照）の大きさに対応して各別の大きさで形成されている。各収容部１２ｂ，１５ｂに収容された対象物２１０，２２０は、それぞれの収容部１２ｂ，１５ｂに収容された状態で動きが規制される。
なお、収容部１２ｂの凹んだ深さは、突出部１２ａの突出高さよりも小さい寸法、又は等しい寸法となっている。収容部１５ｂの凹んだ深さも、突出部１５ａの突出高さよりも小さい寸法、又は等しい寸法となっている。
【００１７】
上述した６つの区画部１１〜１６のうち両端の区画部１１，１６は、区画部１２，１５の突出部１２ａ，１５ａよりも大きく突出したカバー部１１ａ，１６ａが形成されている。
カバー部１１ａ，１６ａを真空形成する前の区画部１１，１６は、区画部１３，１４と同様に平坦な面で形成されていて、真空成形により、この平坦な面の略全部が元の平坦な面と平行になるように突出してカバー部１１ａ，１６ａが形成されている。したがって、これらの区画部１１，１６は、中空の直方体状に突出している。
【００１８】
カバー部１１ａは、図２，４に示すように、折り線２により折り曲げられた使用状態で、収容部１２ｂが形成された区画部１２の、突出部１２ａが突出した側から、区画部１２を覆う。
同様に、カバー部１６ａは、折り線６により折り曲げられた使用状態で、収容部１５ｂが形成された区画部１５の、突出部１５ａが突出した側から、区画部１５を覆う。
【００１９】
上述した６つの区画部１１〜１６のうち中側の２つの区画部１３，１４は、真空形成する前の平坦な面となっている。これらの区画部１３，１４は、図２に示すように、折り線２〜６により折り曲げられた使用状態で、収容部１２ｂ、１５ｂが形成された２つの区画部１２，１５の間に挟まれる。２つの平坦な区画部１３，１４は、折り線２〜６により折り曲げられた使用状態で、互いに重なり合う。
【００２０】
＜ブリスターパッケージの作用＞
次に、本実施形態のブリスターパッケージ１の作用について説明する。
図１，３に示したブリスターパッケージ１は、各折り線２〜６により折り曲げられて、図２，４に示すように使用状態とされる。ブリスターパッケージ１は、使用状態では、収容部１２ｂ，１５ｂが形成された２つの区画部１２，１５は、互いに反対向きに突出した形状となる。つまり、これら２つの区画部１２，１５は、使用状態では、収容部１２ｂ，１５ｂ同士が互いに背中合わせの状態（突出部１２ａ，１５ａが突出していない側の面同士が対向した状態）となる。
【００２１】
そして、各収容部１２ｂ，１５ｂにそれぞれ収容対象の対象物２１０，２２０が収容される。各収容部１２ｂ，１５ｂは、それぞれ互いに反対向きに突出したカバー部１１ａ，１６ａが形成された区画部１１，１６により覆われる。
対象物２１０，２２０が、収容部１２ｂ，１５ｂに収容され、カバー部１１ａ，１６ａが形成された区画部１１，１６で覆われた使用状態で、区画部１１〜１６が重ね合わされた周縁部分１０が全周に亘って接合される。
【００２２】
これにより、ブリスターパッケージ１は、折り線２〜６により折り曲げられて、図２に示した使用状態の形状を保持する。
接合は、熱による溶着であってもよいし、接着テープを貼付することによる接合であってもよい。また、重なり合う区画部１１〜１６の四隅に、互いに嵌め合わされる凹凸形状を形成し、これらの凹凸形状の嵌め合わせによる接合であってもよい。
【００２３】
以上のように構成された本実施形態のブリスターパッケージ１は、使用状態で、２つの対象物２１０，２２０を、２つの収容部１２ｂ，１５ｂに各別に収容することができる。したがって、同じ品目の物２個（２個セットの物など）の対象物２１０，２２０や、品目の異なる２個（主たる物と、その付属物など）の対象物２１０，２２０を、１つのブリスターパッケージ１にまとめることができる。
【００２４】
そして、ブリスターパッケージ１は、使用状態で、２つの収容部１２ｂ，１５ｂが互いに反対を向くため、それぞれの向きから、対応する収容部１２ｂ，１５ｂに収容された対象物２１０，２２０を見ることができる。
【００２５】
また、収容部１２ｂ，１５ｂは互いに独立し、それぞれ対応する別個のカバー部１１ａ，１６ａで覆われていて、先行技術のように、一方の収容部１２ｂが他方の収容部１５ｂのカバー部を兼ねる構成ではない。
しかも、各収容部１２ｂ，１５ｂは、背中合わせとなる収容部１５ｂ，１２ｂの側には突出していない。
【００２６】
したがって、２つの収容部１２ｂ，１５ｂは、いずれも他方の収容部１５ｂ，１２ｂの影響を受けず、他方の収容部１５ｂ，１２ｂにより大きさ、形状等の制約を受けることがない。
これにより、２つの収容部１２ｂ，１５ｂに収容される２つの対象物２１０，２２０の組み合わせに制約が生じることもない。
【００２７】
また、本実施形態のブリスターパッケージ１は、図２に示すように、使用状態で最も外側となるカバー部１１ａ，１６ａが直方体状に形成されているため、ブリスターパッケージ１の外形には、凹凸がほとんど無く、全ての外面は平坦な面となる。
そして、使用状態のブリスターパッケージ１をさらに包装用紙等によりラッピングする場合、仮に、外形の一部に凹凸があったり又は外面が曲面で形成されていたりすると、ラッピングの包装用紙に不規則な折り皺ができてきれいな外観のラッピング状態を得ることができず、ラッピング作業も手間取る。
【００２８】
しかし、本実施形態のブリスターパッケージ１は、外形に凹凸がほとんど無く、しかも全ての外面は平坦な面であるため、ラッピングしたときに、包装用紙に不規則な折り皺ができることがない。したがって、きれいな外観のラッピング状態を得ることができ、しかも、ラッピング作業も簡単になる。
【００２９】
また、本実施形態のブリスターパッケージ１は、折り線２〜６が、矩形の各区画部１１〜１６の長辺（平面視での輪郭形状が矩形のブリスターパッケージ１における短辺１ａ，１ｂに平行な辺）に形成されている。
これにより、６つの区画部１１〜１６が一直線上に並んでいる本実施形態のブリスターパッケージ１は、区画部１１〜１６が並んでいる方向（平面視での輪郭形状が矩形のブリスターパッケージ１における長辺に沿った方向）に関する長さを短くすることができる。
【００３０】
また、本実施形態のブリスターパッケージ１は、折り線２〜６により折り曲げられた使用状態で、収容部１２ｂ，１５ｂが形成された２つの区画部１２，１５の間に、平坦な区画部１３，１４が挟まれている。
これにより、本実施形態のブリスターパッケージ１は、平坦な区画部１３又は平坦な区画部１４に、例えば、収容された対象物２１０，２２０の名称や効能、値段、その他の説明書きの用紙等を貼付等してブリスターパッケージ１に付加することができる。
【００３１】
しかも、本実施形態のブリスターパッケージ１は、２つの平坦な区画部１３，１４を備えていて、これら２つの平坦な区画部１３，１４は、折り線４により折り曲げられた状態で互いに重なり合う。これにより、本実施形態のブリスターパッケージ１によれば、使用状態で、２つの平坦な区画部１３，１４の間に、説明書きの用紙等を挟んで保持することができる。
【００３２】
本実施形態のブリスターパッケージ１は、５本の折り線２〜６によって６つの区画部１１〜１６を形成したものであるが、本発明に係るブリスターパッケージは、３本以上の折り線によって４つ以上の区画部を形成したものであればよく、実施形態１に限定されない。
【００３３】
図５（Ａ）は、４本の折り線２〜５によって５つの区画部１１，１２，１３，１５，１６を形成した他の実施形態のブリスターパッケージ２１を示す図２相当の断面図、図５（Ｂ）は、３本の折り線２〜４によって４つの区画部１１，１２，１５，１６を形成した他の実施形態のブリスターパッケージ３１を示す図２相当の断面図である。
【００３４】
図５（Ａ）に示したブリスターパッケージ２１は、ブリスターパッケージ１における平坦な区画部１４が無い以外は、ブリスターパッケージ１と同じ構成である。図５（Ｂ）に示したブリスターパッケージ３１は、ブリスターパッケージ１における平坦な区画部１３，１４が無い以外は、ブリスターパッケージ１と同じ構成である。
これらのブリスターパッケージ２１，３１も、平坦な区画部１３，１４による効果の有無を除いて、ブリスターパッケージ１と同様の効果を発揮することができ、本発明に係るブリスターパッケージの実施形態に相当する。
【００３５】
本発明に係るブリスターパッケージは、カバー部を有する区画部、収容部を有する区画部及び平坦な区画部の並ぶ順番について、実施形態のブリスターパッケージ１，２１，３１に限定されない。
【００３６】
図６（Ａ）は、５本の折り線２〜６によって６つの区画部１１，１２，１３，１４，１５，１６を形成した他の実施形態のブリスターパッケージ１０１を示す図２相当の断面図、図６（Ｂ）は、４本の折り線２〜５によって５つの区画部１１，１２，１３，１５，１６を形成した他の実施形態のブリスターパッケージ１２１を示す図５（Ａ）相当の断面図、図６（Ｃ）は、３本の折り線２〜４によって４つの区画部１１，１２，１５，１６を形成した他の実施形態のブリスターパッケージ１３１を示す図５（Ｂ）相当の断面図である。
【００３７】
図６（Ａ）に示したブリスターパッケージ１０１は、ブリスターパッケージ１における６つの区画部１１〜１６の並びの順が異なる以外は、ブリスターパッケージ１と同じ構成である。図６（Ｂ）に示したブリスターパッケージ１２１は、ブリスターパッケージ１０１における平坦な区画部１４が無い以外は、ブリスターパッケージ１０１と同じ構成である。図６（Ｃ）に示したブリスターパッケージ１３１は、ブリスターパッケージ１０１における平坦な区画部１３，１４が無い以外は、ブリスターパッケージ１０１と同じ構成である。
これらのブリスターパッケージ１０１，１２１，１３１も、ブリスターパッケージ１，２１，３１と同様の効果を発揮することができ、本発明に係るブリスターパッケージの実施形態に相当する。
【００３８】
図７（Ａ）は、５本の折り線２〜６によって６つの区画部１１，１２，１３，１４，１５，１６を形成した他の実施形態のブリスターパッケージ２０１を示す図２相当の断面図、図７（Ｂ）は、４本の折り線２〜５によって５つの区画部１１，１２，１３，１５，１６を形成した他の実施形態のブリスターパッケージ２２１を示す図５（Ａ）相当の断面図、図７（Ｃ）は、３本の折り線２〜４によって４つの区画部１１，１２，１５，１６を形成した他の実施形態のブリスターパッケージ２３１を示す図５（Ｂ）相当の断面図である。
【００３９】
図７（Ａ）に示したブリスターパッケージ２０１は、ブリスターパッケージ１における６つの区画部１１〜１６の並びの順が異なる以外は、ブリスターパッケージ１と同じ構成である。図７（Ｂ）に示したブリスターパッケージ２２１は、平坦な区画部１４が無い以外は、ブリスターパッケージ２０１と同じ構成である。図７（Ｃ）に示したブリスターパッケージ２３１は、ブリスターパッケージ２０１における平坦な区画部１３，１４が無い以外は、ブリスターパッケージ２０１と同じ構成である。
これらのブリスターパッケージ２０１，２２１，２３１も、ブリスターパッケージ１，２１，３１と同様の効果を発揮することができ、本発明に係るブリスターパッケージの実施形態に相当する。
【００４０】
図８（Ａ）は、５本の折り線２〜６によって６つの区画部１１，１２，１３，１４，１５，１６を形成した他の実施形態のブリスターパッケージ３０１を示す図２相当の断面図、図８（Ｂ）は、４本の折り線２〜５によって５つの区画部１１，１２，１４，１５，１６を形成した他の実施形態のブリスターパッケージ３２１を示す図５（Ａ）相当の断面図である。また、図９は、５本の折り線２〜６によって６つの区画部１１，１２，１３，１４，１５，１６を形成した他の実施形態のブリスターパッケージ４０１を示す図２相当の断面図である。
【００４１】
図８（Ａ）に示したブリスターパッケージ３０１は、ブリスターパッケージ１における６つの区画部１１〜１６の並びの順が異なる以外は、ブリスターパッケージ１と同じ構成である。図８（Ｂ）に示したブリスターパッケージ３２１は、平坦な区画部１３が無い以外は、ブリスターパッケージ３０１と同じ構成である。図９に示したブリスターパッケージ４０１は、ブリスターパッケージ１における６つの区画部１１〜１６の並びの順が異なる以外は、ブリスターパッケージ１と同じ構成である。
これらのブリスターパッケージ３０１，３２１，４０１も、ブリスターパッケージ１，２１と同様の効果を発揮することができ、本発明に係るブリスターパッケージの実施形態に相当する。
【００４２】
図１０は、６つの区画部１１〜１６が一直線上に並ばずに、一部の区画部（本図の例では、区画部１１，１６）が、他の区画部１２〜１５の並んだ方向とは異なる方向に並んだ他の実施形態のブリスターパッケージ５０１を示す図１相当の斜視図である。このブリスターパッケージ５０１は、区画部１１と区画部１２との間の折り線７が、矩形の区画部１１の短辺に形成されている。また、ブリスターパッケージ５０１は、区画部１５と区画部１６との間の折り線８が、矩形の区画部１６の短辺に形成されている。
【００４３】
このように、全ての区画部１１〜１６が一直線上に並んでいないブリスターパッケージ５０１も、ブリスターパッケージ１と同様の効果を発揮することができ、本発明に係るブリスターパッケージの実施形態に相当する。
ただし、全ての区画部１１〜１６が一直線上に並んで形成されているブリスターパッケージ１の方が、単純な短冊状の素材を用いて生成することができるため、コスト等の観点で有利である。
なお、ブリスターパッケージ５０１の、一直線上に並ばない区画部は、両端の区画部１１，１６に限定されない。すなわち、ブリスターパッケージ５０１において両端以外の１つ以上の区画部１２〜１５が、一直線上に並ばない構成を採用することもできる。
【００４４】
各実施形態のブリスターパッケージ１，２１，３１，１０１，１２１，２０１，２２１，２３１，３０１，３２１，４０１，５０１は、各区画部１１〜１６の平面視による輪郭形状が矩形に形成されたものであるが、本発明に係るブリスターパッケージは、区画部の平面視の輪郭形状は他の形状であってもよい。
図１１は、平面視の輪郭形状が三角形の区画部７１１，７１２，７１３，７１４，７１５，７１６を有する他の実施形態のブリスターパッケージ６０１の展開状態を示す平面図である。
【００４５】
図１１に示したブリスターパッケージ６０１における折り線７０２，７０３，７０４，７０５，７０６はブリスターパッケージ１における折り線２，３，４，５，６に相当する。また、突出部７１２ａ及び収容部７１２ｂを有する区画部７１２はブリスターパッケージ１における区画部１２に相当し、突出部７１５ａ及び収容部７１５ｂを有する区画部７１５はブリスターパッケージ１における区画部１５に相当する。
【００４６】
また、カバー部７１１ａを有する区画部７１１はブリスターパッケージ１における区画部１１に相当し、カバー部７１６ａを有する区画部７１６はブリスターパッケージ１における区画部１６に相当する。また、平坦な区画部７１３，７１４は、平坦な区画部１３，１４にそれぞれ相当する。
このブリスターパッケージ６０１も、ブリスターパッケージ１と同様の効果を発揮することができ、本発明に係るブリスターパッケージの実施形態に相当する。
【符号の説明】
【００４７】
１        ブリスターパッケージ
１ａ，１ｂ  短辺
２，３，４，５，６  折り線
１０      周縁部分
１１，１２，１３，１４，１５，１６  区画部
１１ａ，１６ａ  カバー部
１２ａ，１５ａ  突出部
１２ｂ，１５ｂ  収容部
【図１】
2016150767.tif 000003
【図２】
2016150767.tif 000004
【図３】
2016150767.tif 000005
【図４】
2016150767.tif 000006
【図５】
2016150767.tif 000007
【図６】
2016150767.tif 000008
【図７】
2016150767.tif 000009
【図８】
2016150767.tif 000010
【図９】
2016150767.tif 000011
【図１０】
2016150767.tif 000012
【図１１】
2016150767.tif 000013